(57)【要約】【課題】本発明は、複数種の電気機器同士の信号接続を実現に適用する電気機器接続装置を提供することを目的とする。【解決手段】本発明に係る電気機器接続装置は、監視設備又は通信ネットワークに接続される光ファイバー集線装置と、複数の電気機器の内部にそれぞれに装着され且つ前記光ファイバー集線装置に接続される複数の電気機器組込み端とを備える。前記電気機器は、前記電気機器接続装置を介して前記監視設備、前記通信ネットワーク又は他の電気機器とデータ及び指令の伝送を行う。【選択図】図１
2010124464.tif 000002
【特許請求の範囲】
【請求項１】
監視設備又は通信ネットワークに接続される光ファイバー集線装置と、
複数の電気機器の内部にそれぞれに装着され且つ前記光ファイバー集線装置に接続される複数の電気機器組込み端とを備えてなる電気機器接続装置であって、
前記電気機器は、前記電気機器接続装置を介して前記監視設備、前記通信ネットワーク又は他の電気機器とデータ及び指令の伝送を行うことを特徴とする電気機器接続装置。
【請求項２】
前記光ファイバー集線装置は、少なくとも１つのマルチモード光ファイバー及び前記マルチモード光ファイバーに接続される複数のポートを備えることを特徴とする請求項１に記載の電気機器接続装置。
【請求項３】
前記マルチモード光ファイバーの接続方式は、ＩＥＥＥ８０２．３Ｚ技術標準を遵守することを特徴とする請求項２に記載の電気機器接続装置。
【請求項４】
前記電気機器組込み端は、少なくとも２つのポートを持つ光−電気変換器を備えることを特徴とする請求項２に記載の電気機器接続装置。
【請求項５】
それぞれの電気機器組込み端の中の１つのポートが前記光ファイバー集線装置の相異なるポートにそれぞれに接続されて、スター型トポロジー接続構造を構成することを特徴とする請求項４に記載の電気機器接続装置。
【請求項６】
各電気機器組込み端の１つのポートが前記光ファイバー集線装置の１つのポートに接続され、各電気機器組込み端の他のポートが他の電気機器組込み端の１つのポートに接続されて、混合型トポロジー接続構造を構成することを特徴とする請求項４に記載の電気機器接続装置。
【請求項７】
前記電気機器組込み端は、前記光−電気変換器に接続され且つ前記電気機器接続装置を介して前記電気機器と前記監視設備又は通信ネットワークとの間において伝送されるデータ及び指令に対して処理を行うマイクロプロセッサーをさらに備え、
前記マイクロプロセッサーは、データ及び指令の種類に基づいて相異なるデータ及び指令を、対応する電気機器中の相異なる機能モジュールに分配して実行するかまたは相異なる通信ネットワークに伝送して処理を行うことを特徴とする請求項４に記載の電気機器接続装置。
【請求項８】
前記電気機器組込み端は、前記マイクロプロセッサーに接続される電気機器接続端をさらに備え、
前記電気機器接続端は、前記電気機器の内部回路に接続されて、前記内部回路から相応するデータを採集するか、またはデータ及び指令を前記内部回路に伝送して処理及び実行させることを特徴とする請求項７に記載の電気機器接続装置。
【発明の詳細な説明】
【技術分野】
【０００１】
本発明は、電気機器接続装置に関し、特に複数種の電気機器同士の信号交換の実現に適用する電気機器接続装置に関するものである。
【背景技術】
【０００２】
科学技術の発展に従って、日常生活に使用される家庭用電気機器は、知能化、数字化の方向に向かって発展している。大部分の電気機器は、自身に適合する接続装置を介してコンピュータのような制御装置又はインターネット、電話網、ケーブルテレビ網などのような通信ネットワークに接続されて、制御指令及び必要なデータを獲得する。
【０００３】
複数種の電気機器を互いに接続させると、家庭の使用又はシステムの集中監視及び統一制御に便利を提供することができ、且つ複数種の電気機器同士においてデータを送受信するネットワークを構成することもできる。しかしながら、現在、相異なる電気機器に用いられるコネクタの規格及びデータの伝送標準が異なるので、複数種の電気機器を接続するために、複数種のコネクタ及び変換器を用いなければならなく、且つその実施がとても複雑である。
【発明の概要】
【発明が解決しようとする課題】
【０００４】
以上の問題点に鑑みて、本発明は、複数種の電気機器同士の信号交換の実現に適用する電気機器接続装置を提供することを目的とする。
【課題を解決するための手段】
【０００５】
前記問題を解決するために、本発明に係る電気機器接続装置は、監視設備又は通信ネットワークに接続される光ファイバー集線装置と、複数の電気機器の内部にそれぞれに装着され且つ前記光ファイバー集線装置に接続される複数の電気機器組込み端とを備える。前記電気機器は、前記電気機器接続装置を介して前記監視設備、前記通信ネットワーク又は他の電気機器とデータ及び指令の伝送を行う。
【発明の効果】
【０００６】
本発明に係る電気機器接続装置に、光ファイバー集線装置を介して複数の相異なる信号方式の電気機器を、同一方式信号の交換を行うネットワークに接続するため、前記複数の相異なる電気機器に対する集中的な監視及び制御が便利である。また、本発明に係る電気機器接続装置の使用によって、電気機器と通信ネットワークとの間のデータ及び指令の伝送又は電気機器同士のデータ及び指令の伝送を行うことができて、電気機器の使用が非常に便利になる。
【図面の簡単な説明】
【０００７】
【図１】本発明に係る電気機器接続装置のスター型トポロジー接続構造を示す図である。
【図２】本発明に係る電気機器接続装置の混合型トポロジー接続構造を示す図である。
【図３】本発明に係る電気機器接続装置の光ファイバー集線装置の機能ブロック図である。
【図４】本発明に係る電気機器接続装置の電気機器組込み端の機能ブロック図である。
【発明を実施するための形態】
【０００８】
以下、図面に基づいて、本発明の実施形態に係る電気機器接続装置に対して詳細に説明する。
【０００９】
図１及び図２を参照すると、本実施形態の電気機器接続装置１００は、光ファイバー集線装置１０及び該光ファイバー集線装置１０に接続される複数の電気機器組込み端２０を備える。前記複数の電気機器組込み端２０は、各種の家庭用電気機器（図示せず）の内部にそれぞれに装着される。前記家庭用電気機器は、自身の内部に装着された電気機器組込み端２０を介して前記光ファイバー集線装置１０に接続されてから、前記光ファイバー集線装置１０を介して監視設備又はインターネット、電話網、ケーブルテレビ網などのような通信ネットワークに接続される。
【００１０】
図３を参照すると、前記光ファイバー集線装置１０は、少なくとも１つのマルチモード光ファイバー１２及び該マルチモード光ファイバー１２に接続される複数の双方向通信のポート１４を備える。前記マルチモード光ファイバー１２の接続方式は、ＩＥＥＥ８０２．３Ｚ技術標準を遵守する。前記ＩＥＥＥ８０２．３Ｚ技術標準は、１ギガビット（Ｇｂｉｔ）内に使用されるマルチモード光ファイバーの帯域幅を定義し、且つ前記帯域幅は互いに接続されている複数種の電気機器同士のデータの伝送に十分である。前記マルチモード光ファイバー１２は、入力端１２ＲＸ及び出力端１２ＴＸを備え、監視設備又は通信ネットワークに接続できるため、前記マルチモード光ファイバー１２に接続された監視設備又は通信ネットワークと前記ポート１４同士でデータ及び指令の伝送を実現することができる。それぞれのポート１４には、１つの電気機器組込み端２０が接続されて、対応する電気機器が前記光ファイバー集線装置１０に接続される。
【００１１】
図４を参照すると、前記電気機器組込み端２０は、光−電気変換器２２と、マイクロプロセッサー２４と、電気機器接続端２６とを備える。前記光−電気変換器２２は、前記光ファイバー集線装置１０に用いられる同一方式の光信号と相異なる電気機器に用いられる相異なる電気信号との相互変換を行って、同一方式の信号が前記電気機器接続装置１００内で伝送される。前記光−電気変換器２２は、少なくとも２つの双方向通信のポート２２１及び２２２を備える。図１に示したように、このようなポート２２１又は２２２は、前記光ファイバー集線装置１０の１つのポート１４に接続されて、前記電気機器と前記光ファイバー集線装置１０との間でデータ及び指令を伝送することができる。また、図２に示したように、それぞれ相異なる電気機器組込み端２０に属するポート２２１又は２２２同士が接続されて、相異なる電気機器同士のデータ及び指令の伝送を実現することもできる。
【００１２】
前記マイクロプロセッサー２４は、前記光−電気変換器２２及び前記電気機器接続端２６に接続されて、前記電気機器接続装置１００を介して前記電気機器と前記監視設備又は通信ネットワークとの間で伝送されるデータ及び指令に対して処理を行う。前記マイクロプロセッサー２４は、データ及び指令の種類に基づいて相異なるデータ及び指令を電気機器の中の相異なる機能モジュール（例えば、中央処理器、モニター、記憶装置、音声回路など）に分配して実行するか、または相異なる通信ネットワーク（インターネット、電話網、ケーブルテレビ網など）に伝送して処理するようにする。前記電気機器接続端２６は、前記電気機器の内部回路に接続されて、前記内部回路から相応するデータを採集するか、又はデータ及び指令を前記内部回路に伝送して処理させる。
【００１３】
前記電気機器接続装置１００は、スター型トポロジー構造又は混合型トポロジー構造のような接続方式がある。
【００１４】
図１は、電気機器接続装置１００のスター型トポロジー接続構造を示す図である。本接続方式において、それぞれの電気機器の内部に装着された電気機器組込み端２０は、自身の１つのポート２２１又は２２２を介して前記光ファイバー集線装置１０の相異なるポート１４にそれぞれに接続されて、前記電気機器組込み端２０が装着された電気機器はすべて前記光ファイバー集線装置１０に直接に接続される。前記光ファイバー集線装置１０を監視設備に接続すると、前記光ファイバー集線装置１０を介して前記電気機器接続装置１００に接続された電気機器に対して集中的に監視及び制御することができる。前記光ファイバー集線装置１０を通信ネットワークに接続すると、前記電気機器接続装置１００に接続された電気機器はすべて前記通信ネットワークに接続されてデータ及び指令をアップロード又はダウンロードすることができ、また、前記電気機器接続装置１００に接続された電気機器同士も前記通信ネットワークによってデータ及び指令を伝送することができる。前記電気機器接続装置１００を前記電気機器及び前記通信ネットワーク又は監視設備に接続して使用する過程において、前記電気機器組込み端２０のマイクロプロセッサー２４は、データ及び指令の種類に基づいて前記通信ネットワーク又は監視設備からのデータ及び指令を対応する電気機器中の相応する機能モジュールに分配して実行するか、又は対応する電気機器からのデータ及び指令を選択的に相異なる通信ネットワーク又は監視設備に伝送することもできる。
【００１５】
図２は、本発明に係る電気機器接続装置１００の混合型トポロジー接続構造を示す図である。本接続方式において、電気機器組込み端２０は、前記光ファイバー集線装置１０に直接接続される電気機器組込み端２０と前記光ファイバー集線装置１０に間接接続される電気機器組込み端２０とに区分される。その中、前記光ファイバー集線装置１０に直接接続される電気機器組込み端２０において、それぞれの電気機器組込み端２０の任意の１つのポート２２１又は２２２は前記光ファイバー集線装置１０の相異なるポート１４に接続され、前記光ファイバー集線装置１０に間接接続される電気機器組込み端２０において、それぞれの電気機器組込み端２０の任意の１つのポート２２１又は２２２は前記光ファイバー集線装置１０に直接接続される電気機器組込み端２０の他のポート２２２又は２２１に接続される。これによれば、直接接続された電気機器は自身に装着された電気機器組込み端２０を介して上述したスター型トポロジー構造の接続方式のように前記光ファイバー集線装置１０に接続され、間接接続された電気機器は自身に装着された電気機器組込み端２０を介して前記直接接続された電気機器に接続されてから、前記直接接続された電気機器の電気機器組込み端２０を介して前記光ファイバー集線装置１０に接続される。混合型トポロジー構造の電気機器接続装置１００の使用において、前記直接接続された電気機器の工作原理は上述したスター型トポロジー構造の接続方式における電気機器の工作原理と同様である。間接接続された電気機器は前記光ファイバー集線装置１０及び通信ネットワークを介しないで、直接自身に接続された他の電気機器とデータ及び指令の交換を行うことができるため、データ及び指令の処理速度を向上し、且つネットワーク資源を節約する。例えば、テレビを各種のデジタル加入者線（ＸＤＳＬ）端末に接続してから、前記ＸＤＳＬ端末を、前記光ファイバー集線装置１０を介してケーブルテレビ網に接続すると、テレビの機能の改善に有利である。また、電話、冷蔵庫等のような監視及び制御が必要な電気機器をコンピュータに接続してから、前記コンピュータを前記光ファイバー集線装置１０を介して通信ネットワークに接続させると、前記コンピュータを通して前記電気機器に対して遠距離制御を行うことができる。
【００１６】
本発明に係る電気機器接続装置１００において、ＩＥＥＥ８０２．３Ｚ技術標準を遵守する光ファイバー集線装置１０を介して複数の相異なる電気機器を同一方式信号の交換を行うネットワークに接続するため、前記複数の相異なる電気機器に対して集中的に監視及び制御することができる。また、本発明に係る電気機器接続装置１００の使用によって、電気機器と通信ネットワークとの間のデータ及び指令の伝送又は電気機器同士のデータ及び指令の伝送を行うことができ、電気機器の使用が非常に便利になる。
【００１７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１８】
１００・・・・・電気機器接続装置
１０・・・・・・光ファイバー集線装置
１２・・・・・・マルチモード光ファイバー
１２ＲＸ・・・・入力端
１２ＴＸ・・・・出力端
１４・・・・・・光ファイバー集線装置のポート
２０・・・・・・電気機器組込み端
２２・・・・・・光−電気変換器
２２１，２２２・光−電気変換器のポート
２４・・・・・・マイクロプロセッサー
２６・・・・・・電気機器接続端
【図１】
2010124464.tif 000003
【図２】
2010124464.tif 000004
【図３】
2010124464.tif 000005
【図４】
2010124464.tif 000006